【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
電子商品インフラストラクチャに関連して支払いインフラストラクチャを経由した統合支払い・電子商品転送のためのコンピュータ実施される方法であって、
財務データを取得するために第１の端末によって電子支払いデバイスの問合せを円滑にするステップであって、前記電子支払いデバイスが前記支払いインフラストラクチャに従って構成されており、前記第１の端末が前記支払いインフラストラクチャに従って構成された第１の端末の支払いモジュールと、前記電子商品インフラストラクチャに従って構成され、かつ前記第１の端末の支払いモジュールに結合された第１の端末の電子商品モジュールとを有し、前記電子支払いデバイスの前記問合せが前記第１の端末の支払いモジュールによって実行されているステップと、
前記第１の端末の電子商品モジュールによってｅ−商品関連情報の生成を円滑にするステップと、
前記財務データと前記支払いインフラストラクチャとに従って実行される取引処理範囲内で、前記第１の端末の支払いモジュールを経由して前記電子支払いデバイスへの前記ｅ−商品関連情報の転送を円滑にするステップと
を含む方法。
【請求項２】
問合せを円滑にする前記ステップにおいて、
前記電子支払いデバイスの所有者に関係するプロフィール・データが取得され、
前記ｅ−商品関連情報が前記プロフィール・データに基づいて前記第１の端末の電子商品モジュールによって生成される
請求項１に記載の方法。
【請求項３】
前記プロフィール・データが、それに関連する複数の資格付与範疇のうちの少なくとも１つを有するクラスの会員として前記電子支払いデバイスの前記所有者を識別する情報を含み、前記資格付与範疇が前記ｅ−商品に関連する、請求項２に記載の方法。
【請求項４】
前記資格付与範疇が輸送料金範疇を含み、前記ｅ−商品関連情報が輸送チケット情報を含む、請求項３に記載の方法。
【請求項５】
前記ステップが、制御されたアクセス・システムへの所有者の入場に関連して実行され、前記ｅ−商品関連情報が初期入場地点情報を含む、請求項１に記載の方法。
【請求項６】
前記第１の端末が入口端末であり、
前記システムからの前記所有者の退場時に、前記初期入場地点情報を取得するために出口端末によって前記電子支払いデバイスの取合せを円滑にするステップであって、前記出口端末が、前記支払いインフラストラクチャに従って構成された出口端末の支払いモジュールと、前記電子商品インフラストラクチャに従って構成され、かつ前記出口端末の支払いモジュールに結合された出口端末の電子商品モジュールとを有するステップと、
前記初期入場地点情報と前記出口端末の位置とに基づいて、前記出口端末の支払いモジュールを経由して
前記所有者にチケット提供することと、
前記所有者に料金を請求することと
のうちの少なくとも１つを円滑にするステップと
をさらに含む、請求項５に記載の方法。
【請求項７】
前記入口端末と前記出口端末とが同じである、請求項６に記載の方法。
【請求項８】
前記入口端末と前記出口端末とが識別可能である、請求項６に記載の方法。
【請求項９】
問合せを円滑にする前記ステップにおいて、前記電子支払いデバイスの所有者に関係するプロフィール・データが取得され、前記プロフィール・データがそれに関連する複数の資格付与範疇のうちの少なくとも１つを有するクラスの会員として前記電子支払いデバイスの前記所有者を識別する情報を含み、前記資格付与範疇が前記ｅ−商品に関連する、請求項６に記載の方法。
【請求項１０】
前記資格付与範疇が輸送料金範疇を含み、前記ｅ−商品関連情報が輸送チケット情報を含む、請求項９に記載の方法。
【請求項１１】
前記電子支払いデバイスが非接触無線周波数（ＲＦ）近接型カードである、請求項１に記載の方法。
【請求項１２】
前記電子支払いデバイスが接触カードである、請求項１に記載の方法。
【請求項１３】
前記電子支払いデバイスが、非接触無線周波数（ＲＦ）と接触インターフェースの両方を有するデュアル・インターフェース・カードである、請求項１に記載の方法。
【請求項１４】
前記電子支払いデバイスが非カード・フォーム・ファクタを有する、請求項１に記載の方法。
【請求項１５】
取引処理カウンタとアカウント番号とを取得するために前記第１の端末によって前記電子支払いデバイスの問合せを円滑にするステップと、
前記取引処理カウンタと前記アカウント番号とを含む認証コードの計算を円滑にするステップと、
前記電子支払いデバイスから取得された前記取引処理カウンタと前記アカウント番号とが、前記認証コード内に含まれた前記取引処理カウンタと前記アカウントとに一致するかどうかを決定することを円滑にするステップと、
前記決定することが、前記電子支払いデバイスから取得された前記取引処理カウンタと前記アカウント番号とが、前記認証コード内に含まれた前記取引処理カウンタと前記アカウント番号と一致しないことを明らかにすることに対応して、前記電子支払いデバイスによって前記認証コードの記憶の拒絶を円滑にし、それによりリプレイの不正の可能性を削減するステップと
をさらに含む、請求項１に記載の方法。
【請求項１６】
前記アカウント番号と、前記認証コードと、前記取引処理に関連する独自のデータ認証署名とに基づいて、スキミング検出を円滑にする追加ステップをさらに含み、前記認証コードが前記アカウント番号を含み、前記アカウント番号が前記独自のデータ認証署名によって署名されている、請求項１５に記載の方法。
【請求項１７】
取引処理カウンタと、電子支払いデバイス識別子と、電子支払いデバイス生成された乱数とを取得するために前記第１の端末によって前記電子支払いデバイスの問合せを円滑にする追加のステップと、
前記ｅ−商品関連情報と、前記取引処理カウンタと、前記電子支払いデバイス識別子と、前記電子支払いデバイス生成された乱数とに基づく認証コードの計算を円滑にするための追加のステップと、
前記取引処理カウンタと前記支払いデバイス生成された乱数とを経由してリプレイの不正の検出を円滑にする追加のステップと
をさらに含む、請求項１に記載の方法。
【請求項１８】
前記電子支払いデバイス識別子への前記ｅ−商品関連情報の連結に基づいてスキミング検出を円滑にする追加のステップ
をさらに含む、請求項１７に記載の方法。
【請求項１９】
前記ｅ−商品のための支払いを円滑にする追加のステップをさらに含み、前記支払いが前記電子支払いデバイスへの前記ｅ−商品関連情報の前記転送の後に発生する、請求項１に記載の方法。
【請求項２０】
前記ｅ−商品関連情報の企てられた使用と実質的に同時に不正検出を円滑にする追加のステップをさらに含む、請求項１９に記載の方法。
【請求項２１】
電子商品インフラストラクチャに関連して、かつ支払いインフラストラクチャに従って構成された電子支払いデバイスと共に、前記支払いインフラストラクチャを経由した統合支払い・電子商品転送のための端末であって、
前記支払いインフラストラクチャに従って構成され、かつ財務データを取得するために前記電子支払いデバイスに問い合わせるように構成された支払いモジュールと、
前記電子商品インフラストラクチャに従って構成され、かつ前記支払いモジュールに結合された電子商品モジュールであって、ｅ−商品関連情報の処理を円滑にするように構成されている電子商品モジュールと
をさらに含み、
前記支払いモジュールが、前記財務データと前記支払いインフラストラクチャとに従って実行される取引処理において、前記電子支払いデバイスへの前記ｅ−商品関連情報の転送を円滑にするようにさらに構成された端末。
【請求項２２】
前記支払いモジュールが、前記電子支払いデバイスの所有者に関係するプロフィール・データを取得するために、前記電子支払いデバイスに問い合わせるようにさらに構成され、
前記第１の端末の電子商品モジュールが前記プロフィール・データに基づいて前記ｅ−商品関連情報を処理するように構成された、
請求項２１に記載の端末。
【請求項２３】
前記ｅ−商品関連情報を前記処理することが、前記ｅ−商品関連情報を生成することを含む、請求項２１に記載の端末。
【請求項２４】
前記ｅ−商品関連情報を前記処理することが、前記ｅ−商品関連情報を読み取ることを含む、請求項２１に記載の端末。
【請求項２５】
前記ｅ−商品関連情報を前記処理することが、前記ｅ−商品関連情報を更新することを含む、請求項２１に記載の端末。
【請求項２６】
電子商品インフラストラクチャに関連して支払いインフラストラクチャを経由した統合支払い・電子商品転送のためのコンピュータ読み取り可能プログラム・コードを含むコンピュータ使用可能媒体を含むコンピュータ・プログラム製品であって、
財務データを取得するために第１の端末によって電子支払いデバイスの問合せを円滑にするためのコンピュータ使用可能プログラム・コードであって、前記電子支払いデバイスが前記支払いインフラストラクチャに従って構成されており、前記第１の端末が前記支払いインフラストラクチャに従って構成された第１の端末の支払いモジュールと、前記電子商品インフラストラクチャに従って構成され、かつ前記第１の端末の支払いモジュールに結合された第１の端末の電子商品モジュールとを有し、前記電子支払いデバイスの前記問合せが前記第１の端末の支払いモジュールによって実行されているコンピュータ使用可能プログラム・コードと、
前記第１の端末の電子商品モジュールによってｅ−商品関連情報の生成を円滑にするためのコンピュータ使用可能プログラム・コードと、
前記財務データと前記支払いインフラストラクチャとに従って実行される取引処理において、前記第１の端末の支払いモジュールを経由して前記電子支払いデバイスへの前記ｅ−商品関連情報の転送を円滑にするためのコンピュータ使用可能プログラム・コードと
を含む、コンピュータ・プログラム製品。
【請求項２７】
前記電子支払いデバイスの所有者に関係するプロフィール・データを取得するためのコンピュータ使用可能プログラム・コードをさらに含み、前記ｅ−商品関連情報が前記プロフィール・データに基づいて前記第１の端末の電子商品モジュールによって生成される、請求項２６に記載のコンピュータ・プログラム製品。
【請求項２８】
前記プロフィール・データが、それに関連する複数の資格付与範疇のうちの少なくとも１つを有するクラスの会員として前記電子支払いデバイスの前記所有者を識別する情報を含み、前記資格付与範疇が前記ｅ−商品に関連する、請求項２７に記載のコンピュータ・プログラム製品。
【請求項２９】
電子商品インフラストラクチャに関連して支払いインフラストラクチャを経由した統合支払い・電子商品転送のための電子支払いデバイスであって、前記電子支払いデバイスが、前記支払いインフラストラクチャに従って構成されており、
メモリと、
前記メモリに結合された少なくとも１つのプロセッサであって、
財務データを取得するために第１の端末によって前記電子支払いデバイスの問合せを円滑にし、前記第１の端末が、前記支払いインフラストラクチャに従って構成された第１の端末の支払いモジュールと、前記電子商品インフラストラクチャに従って構成され、かつ前記第１の端末の支払いモジュールに結合された第１の端末の電子商品モジュールとを含み、前記電子支払いデバイスの前記問合せが、前記第１の端末の支払いモジュールによって実行されており、
前記第１の端末の電子商品モジュールによってｅ−商品関連情報の生成を円滑にし、さらに
前記財務データと前記支払いインフラストラクチャに従って実行される取引処理範囲内で、前記第１の端末の支払いモジュールを経由して前記電子支払いデバイスへの前記ｅ−商品関連情報の転送を円滑にする
ために動作可能であるプロセッサと
を含む、電子支払いデバイス。
【請求項３０】
前記プロセッサが、前記端末が前記電子支払いデバイスの所有者に関係するプロフィール・データを取得することを円滑にするためにさらに動作可能であり、前記ｅ−商品関連情報が前記プロフィール・データに基づいて前記第１の端末の電子商品モジュールによって生成される、請求項２９に記載の電子支払いデバイス。
【請求項３１】
前記プロフィール・データが、それに関連する複数の資格付与範疇のうちの少なくとも１つを有するクラスの会員として前記電子支払いデバイスの前記所有者を識別する情報を含み、前記資格付与範疇が前記ｅ−商品に関する、請求項３０に記載の電子支払いデバイス。
【請求項３２】
前記プロセッサが、制御されたアクセス・システムへの所有者の入場に関連して前記ステップを実行するために動作可能であり、前記ｅ−商品関連情報が初期入場地点情報を含む、請求項２９に記載の電子支払いデバイス。
【請求項３３】
前記第１の端末が入口端末であって、前記プロセッサが、
前記システムからの前記所有者の退場時に出口端末によって前記初期入場地点情報を得るために前記電子支払いデバイスの問合せを円滑にし、前記出口端末が、前記支払いインフラストラクチャに従って構成された出口端末の支払いモジュールと、前記電子商品インフラストラクチャに従って構成され、かつ前記出口端末の支払いモジュールに結合された出口端末の電子商品モジュールとを有し、
前記初期入場地点情報と前記出口端末の位置とに基づいて、前記出口端末の支払いモジュールを経由して
前記所有者にチケット提供することと、
前記所有者に料金を請求することと
のうちの少なくとも１つを円滑にする
ためにさらに動作可能である、請求項３２に記載の電子支払いデバイス。
【請求項３４】
前記支払いに先がけてｅ−商品関連情報の使用を防止するステップを、さらに含む請求項１９に記載の方法。